(57)【要約】【課題】正面から観察しても輝度が高い色表示が可能であり、かつ斜めから観察した回折光が明るいため、従来のセキュリティデバイスとは一線を画した視覚効果を得ることが可能な表示素子および表示体を提供することを課題とする。【解決手段】支持体１０２の平面上に形成された複数の立体構造からなる表示素子１０１であって、立体構造は、長手方向に直線に沿って互いに平行に延伸し、且つ長手方向に直交する方向に等間隔に備えられ、立体構造の長手方向に直交する面における断面形状は矩形状であり、個々の立体構造は、支持体の平面に、直交する側面１０７と、平行な頂上部１０５と、を備えており、個々の立体構造の少なくとも一方の同じ側の側面には、立体構造の長手方向に周期的に変化する凹凸形状からなる回折格子構造１０８が備えられ、個々の立体構造の頂上部と、側面のいずれか一方の同じ側には、反射層が備えられている表示素子。【選択図】図１
2018072666.tif 000002
【特許請求の範囲】
【請求項１】
支持体の平面上に形成された複数の立体構造からなる表示素子であって、
立体構造は、長手方向に直線に沿って互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の頂上部と、側面のいずれか一方の同じ側には、反射層が備えられていることを特徴とする表示素子。
【請求項２】
支持体の平面上に形成された複数の立体構造からなる表示素子であって、
立体構造は、長手方向に直線に沿って互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の側面のいずれか一方の同じ側と、隣接する立体構造の間の支持体の平面である底面には、反射層が備えられていることを特徴とする表示素子。
【請求項３】
前記立体構造の長手方向に直線に沿って周期的に変化する凹凸形状からなる回折格子構造が、ブレーズド型回折格子構造を含んでいることを特徴とする請求項１または２に記載の表示素子。
【請求項４】
支持体の平面上に形成された複数の立体構造からなる表示素子であって、
立体構造は、長手方向に直線に沿って互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の一方の同じ側の側面には、立体構造の長手方向に周期ａの凹凸形状からなる回折格子構造が備えられており、
個々の立体構造の他方の同じ側の側面には、立体構造の長手方向に周期ｂの凹凸形状からなる回折格子構造が備えられていることを特徴とする表示素子。
【請求項５】
支持体の平面上に形成された複数の立体構造からなる表示素子であって、
立体構造は、長手方向に、周期曲線に沿って、互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の頂上部と、側面のいずれか一方の同じ側には、反射層が備えられていることを特徴とする表示素子。
【請求項６】
支持体の平面上に形成された複数の立体構造からなる表示素子であって、
立体構造は、長手方向に、周期曲線に沿って、互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の側面のいずれか一方の同じ側と、隣接する立体構造の間の支持体の平面である底面には、反射層が備えられていることを特徴とする表示素子。
【請求項７】
前記平面上に複数配列された前記立体構造の断面形状の深さが０．１μｍ以上１０．０μｍ以下であり、前記立体構造の頂上部の幅が１μｍ以上１０μｍ以下であり、前記立体構造の底部の幅が０．１μｍ以上１０．０μｍ以下であることを特徴とする請求項１〜６のいずれかに記載の表示素子。
【請求項８】
前記回折格子構造の格子の溝方向は、前記平面に対して直交する方向に配置し、隣接する格子の中心間距離が０．２μｍ以上５μｍ以下であることを特徴とする請求項１〜７に記載の表示素子。
【請求項９】
前記反射層は、金属材料もしくは高屈折材料であることを特徴とする請求項１〜８のいずれかに記載の表示素子。
【請求項１０】
前記反射層は、平均間隔０．０１〜０．１０μｍ、Ｘ線回折法による結晶子サイズを平均径とした場合の平均径０．０２〜０．５０μｍの金属材料からなり、前記立体構造の底部と、いずれか同じ側の側面のみに備えられていることを特徴とする請求項１〜８のいずれかに記載の表示素子。
【請求項１１】
前記金属材料が、スズを含むことを特徴とする請求項９または１０に記載の表示素子。
【請求項１２】
前記立体構造の頂上部に光散乱構造を有することを特徴とする請求項１〜１１のいずれかに記載の表示素子。
【請求項１３】
請求項１〜１２のいずれかに記載の表示素子が備えられたことを特徴とする表示体。
【発明の詳細な説明】
【技術分野】
【０００１】
本発明は、偽造防止などのセキュリティ用途向けの表示素子および表示体に関する。
【背景技術】
【０００２】
従来の偽造防止手段としては、例えば、簡単に真似する事のできない微細構造や色調変化を施したり、または他の光学機能フィルムを判定子として、それとの組み合わせでのみ、ある光学的現象が観察されるような構成としたり、さらには専用の読取装置でのみ一定のパターン等が読み取れるような構成とするなど、技術の進歩とともに様々な技術が実用化されてきた。
【０００３】
その中でも、実際の運用上の簡便さから、最も利用されているものの一つとして、ホログラムや回折格子像が挙げられる。
ホログラムは、二光束干渉などの光学的撮影方法により、微細な凹凸パターンや、屈折率分布を設けることで作製される。
一方、回折格子像は、微小なエリアに回折格子を配置したものを画素として画像を構成する。
【０００４】
上記ホログラムや回折格子像は、ともに偽造が困難であり、カラーコピー機等による複写も困難で、また意匠的にも優れることから、クレジットカードやＩＤカード、各種有価証券、証明書等に広く用いられている。
【０００５】
しかしながら、実際の運用上ではホログラムや回折格子像の真偽判定は人の目に委ねられるため、微視的には粗悪な偽造品であっても全ての人が肉眼で正確な真偽判定を行うことは容易でない。
【０００６】
このため、偽造防止を図る上で有利であり、従来にない視覚効果を有することによって全ての人が肉眼で正確な真偽判定を行うことができる表示体およびその表示体を実現可能な表示素子を提供することが求められている。
【０００７】
そのようなニーズに対応しようとする技術としては、例えば、特許文献１には、互いに異なる領域に設けられた微細凹凸領域と、光吸収領域とを含んで構成された表示素子が開示されている。この表示素子は、観察者の観察角度により、部分的に固有の色変化を得られ、従来のホログラムなどとは異なる視覚効果を得ることができる。
【先行技術文献】
【特許文献】
【０００８】
【特許文献１】特開２００８−１３４５８６号公報
【発明の概要】
【発明が解決しようとする課題】
【０００９】
しかしながら、この表示素子の光吸収領域を正面から観察した場合には、黒色を呈するため、従来の回折光のような明るい色での表示はできない。このため、この表示素子を用いて作成する表示体のデザインが制限されてしまうという問題がある。また、斜め方向から観察した場合の輝度があまり高くないため、照明の条件によっては真偽判定が難しくなるという問題がある。
【００１０】
そこで、本発明は、正面から観察しても輝度が高い色表示が可能であり、かつ斜めから
観察した回折光が明るいため、従来のホログラムなどに代表されるセキュリティデバイスとは一線を画した視覚効果を得ることが可能な表示素子およびその表示素子を用いることにより全ての人が肉眼で正確な真偽判定を行うことができる表示体を提供することを課題とする。
【課題を解決するための手段】
【００１１】
上記の課題を解決する手段として、本発明の請求項１記載の発明は、支持体の平面上に形成された複数の立体構造からなる表示素子であって、
立体構造は、長手方向に直線に沿って互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の頂上部と、側面のいずれか一方の同じ側には、反射層が備えられていることを特徴とする表示素子である。
【００１２】
請求項２記載の発明は、支持体の平面上に形成された複数の立体構造からなる表示素子であって、
立体構造は、長手方向に直線に沿って互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の側面のいずれか一方の同じ側と、隣接する立体構造の間の支持体の平面である底面には、反射層が備えられていることを特徴とする表示素子である。
【００１３】
請求項３記載の発明は、前記立体構造の長手方向に直線に沿って周期的に変化する凹凸形状からなる回折格子構造が、ブレーズド型回折格子構造を含んでいることを特徴とする請求項１または２に記載の表示素子である。
【００１４】
請求項４記載の発明は、支持体の平面上に形成された複数の立体構造からなる表示素子であって、
立体構造は、長手方向に直線に沿って互いに平行に延伸し、且つ長手方向に直交する方向に等間隔に備えられており、
立体構造の長手方向に直交する面における断面形状は矩形であり、
個々の立体構造は、支持体の平面に、直交する側面と、平行な頂上部と、を備えており、
個々の立体構造の一方の同じ側の側面には、立体構造の長手方向に周期ａの凹凸形状からなる回折格子構造が備えられており、
個々の立体構造の他方の同じ側の側面には、立体構造の長手方向に周期ｂの凹凸形状からなる回折格子構造が備えられていることを特徴とする表示素子である。
【００１５】
請求項５記載の発明は、支持体の平面上に形成された複数の立体構造からなる表示素子であって、
立体構造は、長手方向に、周期曲線に沿って、互いに略平行に延伸し、且つ長手方向に直交する方向に略等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の頂上部と、側面のいずれか一方の同じ側には、反射層が備えられていることを特徴とする表示素子である。
【００１６】
請求項６記載の発明は、支持体の平面上に形成された複数の立体構造からなる表示素子であって、
立体構造は、長手方向に、周期曲線に沿って、互いに略平行に延伸し、且つ長手方向に直交する方向に略等間隔に備えられており、
立体構造の長手方向に直交する面における断面形状は矩形であり、
個々の立体構造は、支持体の平面に、直交する側面と、平行な頂上部と、を備えており、
個々の立体構造の少なくとも一方の同じ側の側面には、立体構造の長手方向に周期的に変化する凹凸形状からなる回折格子構造が備えられており、
個々の立体構造の側面のいずれか一方の同じ側と、隣接する立体構造の間の支持体の平面である底面には、反射層が備えられていることを特徴とする表示素子である。
【００１７】
請求項７記載の発明は、前記平面上に複数配列された前記立体構造の断面形状の深さが０．１μｍ以上１０．０μｍ以下であり、前記立体構造の頂上部の幅が１μｍ以上１０μｍ以下であり、前記立体構造の底部の幅が０．１μｍ以上１０．０μｍ以下であることを特徴とする請求項１〜６のいずれかに記載の表示素子である。
【００１８】
請求項８記載の発明は、前記回折格子構造の格子の溝方向は、前記平面に対して直交する方向に配置し、隣接する格子の中心間距離が０．２μｍ以上５μｍ以下であることを特徴とする請求項１〜７に記載の表示素子である。
【００１９】
請求項９記載の発明は、前記反射層は、金属材料もしくは高屈折材料であることを特徴とする請求項１〜８のいずれかに記載の表示素子である。
【００２０】
請求項１０記載の発明は、前記反射層は、平均間隔０．０１〜０．１０μｍ、Ｘ線回折法による結晶子サイズを平均径とした場合の平均径０．０２〜０．５０μｍの金属材料からなり、前記立体構造の底部と、いずれか同じ側の側面のみに備えられていることを特徴とする請求項１〜８のいずれかに記載の表示素子である。
【００２１】
請求項１１記載の発明は、前記金属材料が、スズを含むことを特徴とする請求項９または１０に記載の表示素子である。
【００２２】
請求項１２記載の発明は、前記立体構造の頂上部に光散乱構造を有することを特徴とする請求項１〜１１のいずれかに記載の表示素子である。
【００２３】
請求項１３記載の発明は、請求項１〜１２のいずれかに記載の表示素子が備えられたことを特徴とする表示体である。
【発明の効果】
【００２４】
本発明によると、斜めから観察した回折光が明るく、かつ正面から観察しても明るい色での表示が可能または、正面から観察しても反射光が観察されないという、従来のホログラムなどに代表されるセキュリティデバイスとは一線を画した視覚効果を得ることができ
、肉眼で一様に正確な真偽判定を行うことが可能である表示素子およびそれを用いた表示体を提供することができる。
【図面の簡単な説明】
【００２５】
【図１】本発明の第１の実施形態に係る表示素子の例を前面側から見た平面図である。
【図２】図１に示す表示素子の例を概略的に示す斜視図である。
【図３】図１に示す表示素子への蒸着方法を概略的に示す斜視図である。
【図４】図１に示す表示素子への反射層形成方法の一例を概略的に示す断面図である。
【図５】図１に示す表示素子への反射層形成方法の一例を概略的に示す断面図である。
【図６】本発明の第２の実施形態に係る表示素子への反射層形成方法の別の例を概略的に示す断面図である。
【図７】図６に示す表示素子への反射層形成方法の別の例を概略的に示す断面図である。
【図８】図６に示す表示素子への反射層形成方法の別の例を概略的に示す断面図である。
【図９】本発明の第３の実施形態に係る表示素子の例を前面側から見た平面図である。
【図１０】本発明の第４の実施形態に係る表示素子の例を前面側から見た平面図である。
【図１１】本発明の第２の実施形態に係る表示素子の例を概略的に示す断面図である。
【図１２】本発明の第５の実施形態に係る表示素子の例を前面側から見た平面図である。
【図１３】本発明の第６の実施形態に係る表示素子の例を前面側から見た平面図である。
【発明を実施するための形態】
【００２６】
以下、本発明の実施の形態を、適宜図面を参照して詳細に説明する。なお、同様又は類似した機能を発揮する構成要素には全ての図面を通じて同一の参照符号を付し、重複する説明は省略する。
【００２７】
＜第１の実施形態＞
（表示素子）
本発明の表示素子は、支持体の平面上に形成された複数の立体構造からなる表示素子である。
立体構造は、長手方向に直線に沿って互いに平行に延伸し、且つ長手方向に直交する方向に等間隔に備えられており、立体構造の長手方向に直交する面における断面形状は矩形であり、個々の立体構造は、支持体の平面に、直交する側面と、平行な頂上部と、を備えている。
個々の立体構造の少なくとも一方の同じ側の側面には、立体構造の長手方向に周期的に変化する凹凸形状からなる回折格子構造が備えられており、個々の立体構造の頂上部と、側面のいずれか一方の同じ側には、反射層が備えられている。
【００２８】
図１は、本発明の第１の実施形態に係る表示素子１０１を前面側、即ち観察者側から見た平面図である。図２は、図１に示す表示素子１０１を斜め方向から観察した斜視図である。
【００２９】
（矩形格子構造）
図１及び図２に示す表示素子１０１は、支持体１０２を備え、その一方の面に形成層１０３が設けられている。
さらにその表面には、断面が矩形状の複数の立体構造が、長手方向に平行に並んで形成されている。その立体構造は、それが形成された平面に直交する方向から見た形状が長手方向に周期的に変化する回折格子構造１０８を備えている。
ここでは、その立体構造が長手方向に平行に並んだ構造を矩形格子構造１０４と呼ぶことにする。また、その立体構造が形成された平面に直交する方向から見た形状が長手方向に周期的に変化する構造を回折格子構造１０８と呼ぶことにする。
【００３０】
矩形格子構造１０４には頂上部１０５と底部１０６が形成されており、さらに矩形格子構造１０４の長辺側の１つの側面１０７には、回折格子構造１０８が備えられた構成となっている。
【００３１】
矩形格子構造１０４の深さは、０．１μｍ以上１０μｍ以下であり、頂上部１０５の幅は、１μｍ以上１０μｍ以下で、底部１０６の幅は、０．１μｍ以上１０μｍ以下であることが好ましい。
【００３２】
（回折格子構造）
矩形格子構造１０４の側面１０７に備えられた回折格子構造１０８の回折格子は、支持体１０２の平面に対して直交する方向に溝が並び、隣接する格子の中心間距離（回折格子のピッチ）が、０．２μｍ以上５μｍ以下であることが好ましい。
【００３３】
回折格子構造１０８は、例えば、可視光を回折する回折格子である事が望ましい。可視光回折格子の役割を果たす構造は、溝の深さ（ここでは、Ｙ軸方向）が０．１μｍ〜０．５μｍ、中心間距離（Ｘ軸方向）が０．２μｍ〜５μｍとなる。
【００３４】
図１に示す回折格子構造１０８の格子断面（ここではＸＹ平面）形状は、正弦波形状であるが、バイナリ型回折格子の場合は矩形形状となり、ブレーズド型回折格子の場合（図９参照）は鋸形状の断面となる。これらの形状は必要な光学効果に従い適宜選択すればよい。又、それらの形状を組み合わせることも可能である。
【００３５】
（支持体）
支持体１０２は、フィルムからなることが好ましく、例えば、ＰＥＴ（ポリエチレンテレフタレート）、ＰＥＮ（ポリエチレンナフタレート）、ＰＰ（ポリプロピレン）などのプラスチックフィルムを用いることができる。但し、矩形格子構造１０４を設ける時にかかる熱や溶剤等による変形や変質の少ない材料を用いることが好ましい。なお、必要によっては紙や合成紙、プラスチック複層紙や樹脂含浸紙等を支持体として用いる事も可能である。
【００３６】
支持体１０２の厚さは４μｍ〜１００μｍであることが好ましい。厚さが４μｍ以上であると、支持体としての物理的強度が十分となり取り扱い易い。一方１００μｍ以下であると、支持体１０２を構成する材料による可視光の光学的損失を小さく抑えることが可能であり、頂上部１０５と底部１０６と側面１０７の回折格子構造１０８を支持体１０２側より視認し易くなる。支持体のより好ましい厚さは１２〜５０μｍである。
【００３７】
尚、矩形格子構造１０４は、必ずしも支持体１０２と直接接するように設ける必要はなく、支持体１０２と矩形格子構造１０４の間に図示しない中間層等を設けてもよい。表示素子を転写箔として用いる場合は、剥離層を中間層として設ける事で、支持体１０２から矩形格子構造１０４を分離させる機能を付与する事が可能である。
【００３８】
（形成層）
形成層１０３は、矩形格子構造１０４を形成する為に設ける層である。形成層１０３に使用される材料としては、例えば、熱可塑性樹脂や熱硬化樹脂が例示できる。具体的には、熱可塑性樹脂として、アクリル系樹脂、エポキシ系樹脂、セルロース系樹脂、ビニル系樹脂等、熱硬化樹脂としては、ウレタン樹脂、メラミン系樹脂、エポキシ樹脂、フェノール系樹脂等が挙げられる。
【００３９】
また、形成層１０３の材料としてフォトポリマー法を用いる場合は、エチレン性不飽和結合、又はエチレン性不飽和基を持つモノマー、オリゴマー、ポリマー等を使用すること
ができる。モノマーとしては、例えば、１，６−ヘキサンジオール、ネオペンチルグリコールジアクリレート、トリメチロールプロパントリアクリレート、ペンタエリスリトールトリアクリレート等が挙げられる。オリゴマーとしては、エポキシアクリレート、ウレタンアクリレート、ポリエステルアクリレート等が挙げられる。ポリマーとしては、ウレタン変性アクリル樹脂、エポキシ変性アクリル樹脂が挙げられるがこの限りでない。
【００４０】
また、光カチオン重合を利用する場合には、エポキシ基を有するモノマー、オリゴマー、ポリマー、オキセタン骨格含有化合物、ビニルエーテル類を使用することができる。また、上記の電離放射線硬化性樹脂は、紫外線等の光によって硬化させる場合には、光重合開始剤を添加することができる。樹脂に応じて、光ラジカル重合開始剤、光カチオン重合開始剤、その併用型（ハイブリッド型）を選定することができる。或いは、エチレン性不飽和結合又はエチレン性不飽和基を持つモノマー、オリゴマー、ポリマー等を混合して使用することもできる。また、これらモノマー等に予め反応基を設けておき、イソシアネート化合物、シランカップリング剤、有機チタネート架橋材等で互いに架橋することも可能である。されにこれらモノマー等に予め反応基を設けておき、イソシアネート化合物、シランカップリング剤、有機チタネート架橋材等で、その他の樹脂骨格と架橋することも可能である。このような方法であれば、エチレン性不飽和結合又はエチレン製不飽和基をもつポリマーであって、常温では固形で存在し、タックが少ないために、成形性が良く原版汚れの少ないポリマーを得ることも可能である。
【００４１】
支持体１０２上に形成層１０３を設ける方法としては、例えばコーティング法を利用できる。特に、該当材料を溶媒に溶解又は分散させたインキを塗布後、溶媒のみを乾燥除去するウエットコーティング法であれば、高速且つ低コスト生産が実現可能である。
【００４２】
形成層１０３の厚みは、０．２〜１０μｍの範囲で設ける事が好ましい。製造方法に依るが、塗膜が厚すぎる場合には矩形格子構造１０４を成型する際の加圧による樹脂のはみ出しやシワの原因となり、厚みが極端に薄い場合には流動性が乏しく、十分な成型ができない。また、成形性は所望する回折格子構造１０８の形状によって変化するが、所望する凹深さの１〜１０倍の膜厚の形成層１０３を設けることが好ましく、更に好ましくは３〜５倍である。
【００４３】
（矩形格子構造の作製方法）
形成層１０３の表面に矩形格子構造１０４を形成する際に用いる原版の作製方法は、電子線描画装置等の荷電粒子ビームを用いた露光装置を用い、且つ、コンピュータ制御により、ステージ上に載置された平面状の基板に凹凸形状のパターンを描画し形成していく方法が知られている。
【００４４】
例えば、ポジ型の感光材料が塗布された基板に荷電粒子ビームを照射し、現像処理を行うと凹の形状が得られるが、荷電粒子ビームの照射時間を長くしたり、強度を高めたりすることでより深い加工ができ、反対に荷電粒子ビームの照射時間を短くしたり、強度を下げたりすることで浅い加工ができる。
【００４５】
このように現像処理した感光材料に、蒸着またはスパッタリングなどで金属材料の導電性膜を形成した後にＮｉ電鋳を行うことによりＮｉ電鋳原版を作製する。このＮｉ電鋳原版を形成層１０３の表面に密着加圧し、熱可塑性樹脂の場合は加熱、光硬化性樹脂の場合は光照射を行うことで、形成層１０３に凹凸形状を転写することができる。
【００４６】
ここで、光硬化性樹脂によって得られた表示素子は、熱可塑樹脂を使用するプレス法に比べ格子構造パターンの成形精度が良く、耐熱性や耐薬品性に優れる。また、更に新しい製造方法としては、常温で固体状若しくは高粘度状の光硬化性樹脂を使用して成形する方
法や、離型材料を添加する方法もある。
【００４７】
（反射層およびその形成方法）
図３は、本発明の第１の実施形態に係る表示素子の蒸着方法を概略的に示す斜視図である。図２で示した表示素子１０１に対して、斜め方向３０１から真空蒸着法により金属材料、もしくは高屈折材料で斜方蒸着を行い、反射層を形成する。反射層は、透明反射層又は不透明な金属反射層を使用することができる。
【００４８】
透明反射層としては、例えば、形成層１０３とは屈折率が異なる透明材料からなる層を使用することができる。透明材料からなる透明反射層は、単層構造を有していてもよく、多層構造を有していてもよい。後者の場合、透明反射層は、繰り返し反射干渉を生じるように設計されていてもよい。この透明材料としては、例えば、硫化亜鉛及び二酸化チタンなどの透明誘電体を使用することができる。
【００４９】
或いは、透明反射層として、厚さが２０ｎｍ未満の金属層を使用してもよい。金属層の材料としては、例えば、クロム、ニッケル、アルミニウム、鉄、チタン、銀、金及び銅などの単体金属又はそれらの合金を使用することができる。
【００５０】
不透明な金属反射層としては、より厚いこと以外は透明反射層について上述したのと同様の金属層を使用することができる。
【００５１】
図４と図５は、本発明の第１の実施形態に係る表示素子の反射層形成方法の一例を概略的に示す断面図である。
【００５２】
図４は、蒸着前の表示素子１０１のＹＺ面の断面を示す。表示素子１０１は、支持体１０２の一方の面に形成層１０３が設けられている。さらにその表面には断面が矩形状の矩形格子構造１０４が複数配列されている。矩形状の矩形格子構造１０４には頂上部１０５と底部１０６が形成されており、さらに矩形格子構造１０４の長辺側の１つの側面１０７には、回折格子構造が設けられている。
【００５３】
図５は蒸着後の表示素子１０１のＹＺ面の断面を示す。斜め方向３０１から来た蒸着物質が、矩形格子構造１０４に当たるときに、頂上部１０５によって遮られた底部１０６には、ほとんど蒸着されず、頂上部１０５には頂上部蒸着面５０１と側面１０７には側面蒸着面５０２として蒸着される。
【００５４】
また、頂上部蒸着面５０１と側面蒸着面５０２での蒸着膜厚を比較すると、より斜め方向３０１に正対する側面蒸着面５０２の方がより多くの蒸着物質を受けることになるため、膜厚が厚くなる。反射層からの反射輝度は、反射層の膜厚に比例するため、頂上部蒸着面５０１と側面蒸着面５０２では、回折格子のある側面蒸着面５０２の方が明るくなる。
【００５５】
この表示素子１０１を正面から観察すると、薄い反射層での反射光を確認でき、斜め方向から観察すると、側面蒸着面５０２の効果によって回折格子からの回折光が明るく観察することが出来る。
【００５６】
また、観察角度は表示素子１０１の平面上に近い浅い角度で回折光が射出されるので、通常では観察しないような領域で観察することになる。この回折光を観察することにより、真偽判定を行うことが可能となる。
【００５７】
つまり、正面から観察しても明るい色での表示が可能であり、かつ斜めから観察した回折光が明るい、従来のホログラムなどに代表されるセキュリティデバイスとは一線を画し
た視覚効果を得ることができ、肉眼で一様に正確な真偽判定を行うことが可能である。
【００５８】
さらに、あらかじめ頂上部１０５に光散乱構造を設けておくことで、頂上部蒸着面５０１での反射光は拡散し、紙を観察しているような見え方とすることも可能である。
【００５９】
＜第２の実施形態＞
次に、本発明の第２の実施形態について説明する。
本発明の表示素子は、個々の立体構造の少なくとも一方の同じ側の側面には、立体構造の長手方向に周期的に変化する凹凸形状からなる回折格子構造が備えられており、個々の立体構造の側面のいずれか一方の同じ側と、隣接する立体構造の間の支持体の平面である底面には、反射層が備えられていることが特徴である。その他は、第１の実施形態と同様である。
【００６０】
図６、図７、図８は本発明の第２の実施形態に係る表示素子の反射層形成方法の別の例を概略的に示す断面図である。
【００６１】
（反射層およびその形成方法）
図６は、図４で示した表示素子１０１に、平均間隔０．０１〜０．１００μｍ、平均径０．０２〜０．５００μｍの金属材料を斜方蒸着し粒子状反射層を形成した状態を示す。ここで平均径とは、薄膜を構成する粒子が球形の結晶子であると仮定して、Ｘ線回折により得られたＸ線回折ピークの半値幅を使用してシェラーの式から算出した結晶子サイズとした。粒子状反射層の材料としては、クロム、ニッケル、アルミニウム、スズ、金、銅、真鍮等の材料が挙げられる。
【００６２】
特に、スズを用いた蒸着法は、蒸着速度、蒸着膜厚等の蒸着条件を選択することで、非蒸着部と蒸着部が不規則に並んだ粒子状パターンを形成することが可能である。この粒子状パターンとしては、規則的なパターン形状にしてもよいし、明確な意味を持たないランダムなパターンでも良い。
【００６３】
表示素子１０１に複数配列されている矩形状の矩形格子構造１０４の頂上部１０５には、頂上部蒸着面６０１が蒸着されている。さらに側面１０７と底部１０６には、側面蒸着面６０２が蒸着されている。蒸着面６０１の厚みは１〜１０００ｎｍ程度、好ましくは１〜５０ｎｍ程度に制御できれば良い。
【００６４】
また、蒸着面６０１は、必ずしも形成層１０３を構成する材料と十分に密着している必要はなく、後述するせん断方向への力によって除去し易いように、中間層或いは形成層１０３材料への添加剤（フッ素系樹脂やシリコン系樹脂）等で層間密着力が調整されていても良い。中間層は、可視光透明な蒸着薄膜を用いても良い。
【００６５】
図７は、図６に示した粒子状反射層を形成した矩形格子構造１０４の頂上部１０５に設けられた頂上部蒸着面６０１に対し、矩形格子構造１０４とのせん断方向７０２（図７に於けるＹ軸方向）へ力を加えることで、頂上部蒸着面６０１を除去する状況を示した説明図である。
【００６６】
矩形格子構造１０４が形成された表示素子１０１を固定された状態にしておく。次に、反射層除去スキージ７０１を、固定された表示素子１０１の頂上部１０５の頂上部蒸着面６０１に接触するように押し当て、せん断方向７０２に反射層除去スキージ７０１を移動する事によって、頂上部１０５との界面でせん断方向７０２に摩擦力を発生させる。この力によって頂上部１０５に設けられた頂上部蒸着面６０１を除去する。
【００６７】
一方、反射層除去スキージ７０１は、底部１０６より十分大きく、側面１０７および底部１０６に設けられた側面蒸着面６０２には反射層除去スキージ７０１が接触しない為、この部分の側面蒸着面６０２は除去されずに残る。
【００６８】
反射層除去スキージ７０１は、頂上部１０５を損傷させない程度の硬さを有する高弾性材料からなり、エンジニアリングプラスチックやゴム等が好ましく用いられる。反射層除去スキージ７０１の形状は、平スキージ、角スキージ、２層剣スキージ等、用途に応じ適宜選択可能であり、またその厚さや長さ、硬さを細かく設定する事によって、最適な条件を選択する事ができる。
【００６９】
図８は、表示素子１０１の矩形格子構造１０４の頂上部１０５に設けられた頂上部蒸着面６０１が除去された状態を示す。
【００７０】
このように作製された表示素子１０１を正面から観察すると、正面方向への反射光は確認されず、斜め方向から観察すると、側面蒸着面６０２の効果によって回折格子からの回折光が明るく観察することが出来る。
【００７１】
つまり、斜めから観察した回折光が明るく、かつ正面から観察しても反射光が観察されないという、従来のホログラムなどに代表されるセキュリティデバイスとは一線を画した視覚効果を得ることができ、肉眼で一様に正確な真偽判定を行うことが可能である表示素子を提供することが可能となる。
【００７２】
図１１は、本発明の第２の実施形態に係る表示素子１０１を概略的に示す断面図である。図１１に於ける表示素子１０１は、図８に示す表示素子１０１の形成層１０３の矩形格子構造１０４が形成された側に、接着層９１２が形成された構成を示している。
【００７３】
（接着層）
接着層９１２は、表示素子１０１を物品へ貼付する為に設けられる層である。接着層９１２は、例えばポリエステル樹脂、ウレタン樹脂、アクリル樹脂又は塩化ビニル樹脂等を主成分とする接着剤により形成することができる。また、必要に応じて接着性付与剤、充填剤、軟化剤、熱光安定剤、酸化防止剤などを配合することができる。接着性付与剤としては、ロジン系樹脂、テルペンフェノール樹脂、テルペン樹脂、芳香族炭化水素変性テルペン樹脂などが挙げられる。充填剤としては、亜鉛華、酸化チタン、シリカ、炭酸カルシウム、硫酸バリウムなどが挙げられる。軟化剤としては、プロセスオイル、液状ゴム、可塑剤などが挙げられる。熱光安定剤としては、ベンゾフェノン系、ベンゾトリアゾール系、ヒンダードアミン系などが挙げられ、酸化防止剤としては、アニリド系、フェノール系、ホスファイト系、チオエステル系などが挙げられる。
【００７４】
本発明に於いて、接着層９１２を設ける方法には制限がなく、例えば、ロールコーター、ナイフコーター、ロールナイフコーター、エアナイフコーター、ダイコーター、バーコーター、グラビアコーター、カーテンコーター等の塗工機を用いて、予め剥離材上に接着剤を塗布し、乾燥後基材シートの裏面と貼り合わせた後、剥離材を取り外して接着層９１２を設ける方法が挙げられる。このようにして形成された接着層９１２の厚さは、用途に応じて適宜選択されるが、通常１〜３００μｍ程度、好ましくは５〜１００μｍである。
【００７５】
＜第３の実施形態＞
本発明の表示素子の第３の実施形態について説明する。
本発明の表示素子は、第１または第２の実施形態における表示素子において、立体構造の長手方向に直線に沿って周期的に変化する凹凸形状からなる回折格子構造が、ブレーズド型回折格子構造を含んでいることが特徴である。
【００７６】
図９は、本発明の第３の実施形態に係る表示素子９０１を前面側から見た平面図である。表示素子９０１は、断面が矩形状の矩形格子構造９０２が複数の直線状で略平行に配列されている。矩形格子構造９０２には頂上部９０３と底部９０４が形成されており、さらに矩形格子構造９０２の長辺側の１つの側面には、ブレーズド型回折格子構造９０５が設けられている。
【００７７】
矩形格子構造９０２に設けた、ブレーズド型回折格子構造９０５の回折格子は、支持体の平面に対して垂直方向に溝が並び、格子の中心間距離（回折格子のピッチ）が、０．２μｍ以上５μｍ以下である。
【００７８】
ブレーズド型回折格子９０５は、典型的な格子ピッチや格子深さはバイナリ型回折格子と同等であるが、その断面形状が鋸刃状であり、矩形格子構造９０２が形成されている形成形成層の面に直交する方向からの入射光に対し、回折角度と、傾斜面による光の反射角と、が一致した場合、その方向に理論上回折効率が１００％である回折光が生じ、それ以外の角度には光が射出されないという光学作用がある。
【００７９】
すなわち、ブレーズド型回折格子は、バイナリ型回折格子と比較して非常に高い回折効率を得ることができ、また光の進行角度を厳密に制御できるという特徴をもっている。このため、表示素子９０１を斜め方向から観察した場合に観察される回折光は、バイナリ型回折格子よりも明るく、回折方向も限定できるため、より確実な真偽判定を容易に行うことが可能となる。
【００８０】
図９において上方向斜めから見下ろした場合には、ブレーズド型回折格子構造９０５からの回折光は観察されず、下方斜めから見上げた場合には、ブレーズド型回折格子構造９０５からの回折光が観察される。
【００８１】
＜第４の実施形態＞
本発明の表示素子の第４の実施形態について説明する。
本発明の表示素子は、個々の立体構造の一方の同じ側の側面には、立体構造の長手方向に周期ａの凹凸形状からなる回折格子構造が備えられており、個々の立体構造の他方の同じ側の側面には、立体構造の長手方向に周期ｂの凹凸形状からなる回折格子構造が備えられていることが特徴である。その他は、第１の実施形態と同様である。
【００８２】
図１０は、本発明の第４の実施形態に係る表示素子９０６を前面側から見た平面図である。
表示素子９０６は、断面が矩形状の複数の矩形格子構造９０７が、長手方向に直線状で平行に並んで形成されており、その矩形格子構造９０７は、それが形成された平面に直交する方向から見た形状が長手方向に周期的に変化する形状を備えている。
矩形格子構造９０７には頂上部９０８と底部９０９が形成されており、さらに矩形格子構造９０７の長辺側の１つの側面には、回折格子構造９１０が設けられている。さらに、もう１つの側面には、回折格子構造９１１が設けられている。
【００８３】
回折格子構造９１０と回折格子構造９１１では、回折格子の断面形状（波形）は同等であるが、格子の中心間距離（回折格子のピッチ）が異なっている。
【００８４】
図１０において上方向斜めから見下ろした場合には、回折格子構造９１１からの回折光が観察され、下方斜めから見上げた場合には、回折格子構造９１０からの回折光が観察される。
【００８５】
すなわち、表示素子９０６を白色光で照明した場合に、上方向斜めから見下ろした場合と、下方斜めから見上げた場合で観察される回折光の色が異なって観察される。このことにより、より確実な真偽判定を容易に行うことが可能となる。
【００８６】
＜第５の実施形態＞
本発明の表示素子の第５の実施形態について説明する。
本発明の表示素子は、個々の立体構造の少なくとも一方の同じ側の側面には、立体構造の長手方向に周期的に変化する凹凸形状からなる回折格子構造が備えられており、個々の立体構造の頂上部と、側面のいずれか一方の同じ側には、反射層が備えられていることが特徴である。その他は、第１の実施形態と同様である。
【００８７】
図１２は、本発明の第５の実施形態に係る表示素子を前面側から見た平面図である。表示素子１２１は、断面が矩形状の矩形格子構造１２２が複数の曲線状に略平行で配列されている。矩形状の矩形格子構造１２２には頂上部１２３と底部１２４が形成されており、さらに矩形格子構造１２２の長辺側の１つの側面には、回折格子構造１２５が設けられている。
【００８８】
図１に示した表示素子１０１配列された矩形状の矩形格子構造１０４は、直線で構成され、Ｘ軸方向に略平行に配列している。このため、Ｙ軸方向から入射した光に対して、回折格子構造１０８から射出する回折光は、Ｘ軸に略垂直な方向にほとんど拡散せずに射出する。
【００８９】
これに対して、図１２で示した表示素子１２１の矩形格子構造１２２は、複数の曲線で構成し略平行に配列している。このため、Ｙ軸方向から入射した光に対して、回折格子構造１２５から射出する回折光は、Ｘ軸に垂直な方向よりある程度の角度の範囲に拡がりをもって射出することになる。
【００９０】
つまり、矩形格子構造１０４は狭い範囲でのみ回折光を観察することができ、矩形格子構造１２２は、Ｘ軸方向に拡がりをもった範囲から回折光を観察することが可能となる。このような２種類の矩形格子構造を画素として表示パターンを構成することで、ある範囲からのみ表示パターンを確認することができるような表現方法が可能となる。
【００９１】
＜第６の実施形態＞
本発明の表示素子の第６の実施形態について説明する。
本発明の表示素子は、個々の立体構造の側面のいずれか一方の同じ側と、隣接する立体構造の間の支持体の平面である底面には、反射層が備えられていることが特徴である。その他は、第１の実施形態と同様である。
【００９２】
図１３は、本発明の第６の実施形態に係る表示素子１３１を前面側から見た平面図である。表示素子１３１は、領域１３２と領域１３３の２種類の領域から構成されている。領域１３３は、領域１３２をＸＹ平面上で時計回りに９０度回転した構造となっている。領域１３２は断面が矩形状の矩形格子構造１３４が複数の直線状にＸ軸に略平行で配列されている。矩形格子構造１３４には頂上部１３５と底部１３６が形成されており、さらに矩形格子構造１３４の長辺側の１つの側面には、回折格子構造１３７が設けられている。
【００９３】
表示素子１３１にＹ軸方向から照明光を入射すると、領域１３２は回折光を射出するが、領域１３３は回折光を射出しない。また、Ｘ軸方向から照明光を入射した場合には、領域１３２は回折光を射出しないが、領域１３３は回折光を射出する。
【００９４】
つまり、照明光が９０度異なる方向から入射したときに、それぞれの領域が切り替わる
ように回折光を射出する構造となっている。このような２種類の構造を持った領域を画素として表示パターンを構成することで、９０度異なる照明光により異なるパターンを表示することが可能となる。
【００９５】
ここでは、矩形格子構造１３４は９０度ことなる方向で配置しているが、角度は自由に設定してよく、領域も２種類以上で構成しても構わない。また、格子構造も第５の実施形態で説明したような、曲線による格子構造で構成しても構わない。さらに、回折格子構造にブレーズド型回折格子を含んでもよい。
【００９６】
以上、本発明の表示素子によると、斜めから観察した回折光が明るく、かつ正面から観察しても明るい色での表示が可能または、正面から観察しても反射光が観察されないという、従来のホログラムなどに代表されるセキュリティデバイスとは一線を画した視覚効果を得ることができ、肉眼で一様に正確な真偽判定を行うことが可能である表示体を提供する事が可能となる。
【００９７】
以上、本発明に係る表示素子の実施形態について詳細に説明したが、この他の処理や構成も可能である。例えば、それぞれの層間の密着性を向上させるために、コロナ処理、プラズマ処理及び／又はプライマー塗工を施してもよい。更に、意匠性を向上させるべく、各層を着色することも可能である。また、ＩＣチップ入りインレットを組み込んだ構成等も可能である。
【産業上の利用可能性】
【００９８】
肉眼で一様に正確な真偽判定を行うことが可能であることから、各種セキュリティ認証の真偽判定に利用可能であり、特に、有価証券や紙幣、またブランド品、証明書等の偽造を防止するために使用されるラベルや、クレジットカードなどの真偽判定に利用することが可能である。
【符号の説明】
【００９９】
１０１、９０１、９０６、１２１、１３１…表示素子、１０２…支持体、１０３…形成層、１０４、９０２、９０７、１２２、１３４…矩形格子構造、１０５、９０３、９０８、１２３、１３５…頂上部、１０６、９０４、９０９、１２４、１３６…底部、１０７…側面、１０８、９１０、９１１、１２５、１３７…回折格子構造、１３２、１３３…領域、３０１…斜め方向、５０１、６０１…頂上部蒸着面、５０２、６０２…側面蒸着面、７０１…反射層除去スキージ、７０２・・・せん断方向、９０５…ブレーズド型回折格子構造、９１２…接着層
【図１】
2018072666.tif 000003
【図２】
2018072666.tif 000004
【図３】
2018072666.tif 000005
【図４】
2018072666.tif 000006
【図５】
2018072666.tif 000007
【図６】
2018072666.tif 000008
【図７】
2018072666.tif 000009
【図８】
2018072666.tif 000010
【図９】
2018072666.tif 000011
【図１０】
2018072666.tif 000012
【図１１】
2018072666.tif 000013
【図１２】
2018072666.tif 000014
【図１３】
2018072666.tif 000015